(57)【要約】【課題】駒体を連結する部材の端部が露出しない構造であって、駒体の構造および全体構造が簡潔で、かつ簡易に組立が行えるバンドの連結機構を提供する。【解決手段】外駒体１の連結部３を、隣接する内駒体４の鉤溝部５の挿入部分５ａから係止部分５ｂまで挿入し、連結部３を係止部分５ｂにて回動可能な状態にする。この状態にて、鉤溝部５の係止部分５ｂに、連結部３の移動を阻止する阻止部材６を鉤溝部５の挿入部分５ａから嵌挿することにより連結部３は外れない。また、阻止部材６は、鉤溝部５の挿入部分５ａに弾性部材である板ばね７により弾接しているため抜け出すことはない。【選択図】図５
2010269111.tif 000002
【特許請求の範囲】
【請求項１】
外駒体と該外駒体の内側に配される内駒体とを複数個連結してなるバンドの連結機構であって、
前記外駒体を、対向する一対の外駒部と、バンド連結方向に直交する方向に延在して前記両外駒部を連結する連結部とから構成し、
前記内駒体におけるバンド連結方向に直交する方向の側部に沿って、前記外駒体の前記連結部が挿入される挿入部分と、該挿入部分に対して異なる方向に延在する係止部分とからなる鉤溝部を形成し、
前記外駒体の前記連結部を、隣接する前記内駒体の前記鉤溝部の前記挿入部分から前記係止部分まで挿入して、前記連結部を前記係止部分にて回動可能にし、
前記鉤溝部の前記係止部分において前記連結部の移動を阻止する阻止部材を、前記鉤溝部の前記挿入部分から嵌挿したことを特徴とするバンドの連結機構。
【請求項２】
前記外駒体と前記内駒体とが独立した駒体であって、前記外駒体に前記連結部を対向して一対設け、前記内駒体に前記鉤溝部を両側部に形成したことを特徴とする請求項１記載のバンドの連結機構。
【請求項３】
前記外駒体と前記内駒体とが一体形成された駒体であって、該駒体の一側に前記外駒体の前記連結部を設け、他側に前記内駒体の前記鉤溝部を形成したことを特徴とする請求項１記載のバンドの連結機構。
【請求項４】
前記鉤溝部の前記挿入部分の開口を、連結時に隣り合う前記内駒体における対向する内側面に形成したことを特徴とする請求項１〜３いずれか１項記載のバンドの連結機構。
【請求項５】
前記鉤溝部の前記挿入部分から前記阻止部材を嵌挿する際、隣り合う前記内駒体の連結部分を回動させて内側面を外部に露呈するようにして、前記開口を露出させることを特徴とする請求項４記載のバンドの連結機構。
【請求項６】
前記鉤溝部として、前記挿入部分と前記係合部分とからなる略Ｌ状の溝を形成したことを特徴とする請求項１〜５いずれか１項記載のバンドの連結機構。
【請求項７】
前記連結部が軸体であることを特徴とする請求項１〜３いずれか１項記載のバンドの連結機構。
【請求項８】
前記阻止部材は、自体が弾性を有する板状体であることを特徴とする請求項１記載のバンドの連結機構。
【請求項９】
前記阻止部材は、一部に弾性体を備えたものであることを特徴とする請求項１記載のバンドの連結機構。
【発明の詳細な説明】
【技術分野】
【０００１】  本発明は、時計バンドや装飾品用のバンドに適用され、複数の駒体を連結して長尺のバンドとして構成するためのバンドの連結機構に関するものである。
【背景技術】
【０００２】  複数の駒体からなるバンドの類では、隣接する駒体が種々の形状，構造の連結軸部材を用いて連結される構成になっている。【０００３】  従来では前記連結軸部材は、駒体の側方からねじ込む構造、あるいはスプリングが内蔵される軸状筒体を用いる構造のものが一般的であった。このため簡易な構造のものでは、連結軸部材の端部が駒体の側部から露出していた。【０００４】  ところが、外観が重視される高級かつ高価なバンド類においては、駒体の側部から連結軸部材の端部が露出することは、デザイン上，外観を劣化させる原因となる。【０００５】  このことを防ぐため、従来、連結軸部材の端部を駒体の側部から露出させないような各種の工夫がなされてきていた（例えば特許文献１，２参照）。
【先行技術文献】
【特許文献】
【０００５】
【特許文献１】特開平７−６７７０７号公報
【特許文献２】特開２００９−３９５４１号公報
【発明の概要】
【発明が解決しようとする課題】
【０００６】  しかし、前記従来のバンドの構成では、駒体の側部から連結軸部材の端部を露出させない構造にするために、駒体あるいは連結軸部材、さらには、それらに関連する部材などの構造が複雑となり、これにより部品数が多くなり、組立が煩雑になってコストアップとなる原因となっていた。【０００７】  そこで本発明は、複数の駒体を連結して製造される従来のバンド類の問題を解決するため、駒体を連結する部材の端部が露出しない構造であって、駒体の構造および全体構造が簡潔で、かつ簡易に組立が行えるバンドの連結機構を提供することを目的とする。
【課題を解決するための手段】
【０００８】  本発明のバンドの連結機構は、外駒体と該外駒体の内側に配される内駒体とを複数個連結してなるバンドの連結機構であって、前記外駒体を、対向する一対の外駒部と、バンド連結方向に直交する方向に延在して前記両外駒部を連結する連結部とから構成し、前記内駒体におけるバンド連結方向に直交する方向の側部に沿って、前記外駒体の前記連結部が挿入される挿入部分と、該挿入部分に対して異なる方向に延在する係止部分とからなる鉤溝部を形成し、前記外駒体の前記連結部を、隣接する前記内駒体の前記鉤溝部の前記挿入部分から前記係止部分まで挿入して、前記連結部を前記係止部分にて回動可能にし、前記鉤溝部の前記係止部分において前記連結部の移動を阻止する阻止部材を、前記鉤溝部の前記挿入部分から嵌挿したことを特徴とする。【０００９】  また、本発明は、前記外駒体と前記内駒体とが独立した駒体であって、前記外駒体に前記連結部を対向して一対設け、前記内駒体に前記鉤溝部を両側部に形成したことを特徴とする。【００１０】  また、本発明は、前記外駒体と前記内駒体とが一体形成された駒体であって、該駒体の一側に前記外駒体の前記連結部を設け、他側に前記内駒体の前記鉤溝部を形成したことを特徴とする。【００１１】  また、本発明は、前記鉤溝部の前記挿入部分の開口を、連結時に隣り合う前記内駒体における対向する内側面に形成したことを特徴とする。【００１２】  また、本発明は、前記鉤溝部の前記挿入部分から前記阻止部材を嵌挿する際、隣り合う前記内駒体の連結部分を回動させて内側面を外部に露呈するようにして、前記開口を露出させることを特徴とする。【００１３】  また、本発明は、前記鉤溝部として、前記挿入部分と前記係合部分とからなる略Ｌ状の溝を形成したことを特徴とする。【００１４】  また、本発明は、前記連結部が軸体であることを特徴とする。【００１５】  また、本発明は、前記阻止部材は、自体が弾性を有する板状体であることを特徴とする。【００１６】  また、本発明は、前記阻止部材は、一部に弾性体を備えたものであることを特徴とする。
【発明の効果】
【００１７】  本発明では、外駒体の連結部を、隣接する内駒体の鉤溝部の挿入部分から係止部分まで挿入して、連結部を係止部分にて回動可能にし、その後、鉤溝部の係止部分において連結部の移動を阻止する阻止部材を鉤溝部の挿入部分から嵌挿することにより、外駒体と内駒体とからなる複数の隣接する駒体を、互いに回動可能かつ強固に連結することができる。そして、連結状態では、外駒体の連結部は内駒体の内部にあるため外部に露出することがない。このため、連結体端部が駒体の外側に点在して現れて外観を低下させ、バンドとしての高級感を損なうことなどを防ぐことができる。
【図面の簡単な説明】
【００１８】
【図１】本発明に係るバンドの連結機構の実施形態１を採用したバンド全体を示す斜視図である。
【図２】実施形態１における外駒体の構成図である。
【図３】実施形態１における内駒体の構成図である。
【図４】実施形態１における阻止部材の構成図である。
【図５】実施形態１における連結状態を示す断面図
【図６】（ａ）〜（ｆ）は実施形態１におけるバンドの連結工程を説明するための駒体の側面図である。
【図７】本発明に係るバンドの連結機構の実施形態２を採用したバンド全体を示す斜視図である。
【図８】実施形態２における駒体の構成図である。
【図９】実施形態２における駒体を底面側から見た斜視図である。
【図１０】実施形態２における阻止部材の構成図である。
【図１１】実施形態２における連結状態を示す断面図である。
【図１２】（ａ）〜（ｆ）は実施形態２におけるバンドの連結工程を説明するための駒体の側面図である。
【発明を実施するための形態】
【００１９】  以下に本発明の好適な実施形態を図面にて説明する。
【００２０】  図１は本発明に係るバンドの連結機構の実施形態１を採用したバンド全体を示す斜視図、図２は実施形態１における外駒体の構成図、図３は実施形態１における内駒体の構成図、図４は実施形態１における阻止部材の構成図であって、図２〜図４において、上左側の図画が平面図、上右側の図画が側面図、下図が正面図である。
【００２１】  図１，図２おいて、１は外駒体であって、対向する一対の外駒部２と、バンド連結方向Ａに直交する方向に延在して両外駒部２を連結する一対の連結部３とを備えている。
【００２２】  図１，図３おいて、４は内駒体であって、バンド連結方向Ａに直交する方向の両側部に沿って、後述するように隣接する外駒体１の連結部３が挿入される挿入部分５ａと、該挿入部分５ａに対して異なる方向に延在する係止部分５ｂとからなる鉤溝部５が形成されている。本例では鉤溝部５は、挿入部分５ａと係合部分５ｂとにより断面略Ｌ形状にしている。
【００２３】  図１，図４において、６は阻止部材であって、後述するように前記鉤溝部５へ挿入される薄板材からなり、一部が外側に突出する弾性体である板ばね７が設けられている。
【００２４】  図５に示す実施形態１における連結状態を示す断面図のように、実施形態１では、外駒体１の連結部３を、隣接する内駒体４の鉤溝部５の挿入部分５ａから係止部分５ｂまで挿入し、連結部３を係止部分５ｂにて回動可能な状態にしている。
【００２５】  前記状態にて、鉤溝部５の係止部分５ｂには、連結部３の移動を阻止する阻止部材６が鉤溝部５の挿入部分５ａから嵌挿されて、連結部３は外れず固定位置にある。また阻止部材６は、鉤溝部５の挿入部分５ａに弾性部材である板ばね７により弾接して、容易に抜け出さないようになっている。
【００２６】  鉤溝部５の挿入部分５ａの開口は、連結時に隣り合う内駒体４における対向する内側にあるように形成してあるため、通常使用時にはバンド外部には露出しない。
【００２７】  前記外駒体１と内駒体２を順次連結して図１に示すようなバンドを製造する。当該バンドの組立・組付について図６に基づいて説明する。
【００２８】  図６（ａ）〜（ｆ）は実施形態１におけるバンドの連結工程を説明するための駒体の側面図である。まず、図６（ａ）に示す状態から、外駒体１の連結部３を、図６（ｂ）に示すように、隣接する内駒体４の鉤溝部５の挿入部分５ａから係止部分５ｂまで挿入し、さらに図６（ｃ）に示すように、連結部３を鉤溝部５の係合部分５ｂ方向に移動させる。
【００２９】  次に、図６（ｃ）に示す状態から図６（ｄ）に示すように、内駒体４を、外駒体１との連結部分である連結部３を中心として回動させ、内側面を外部に露呈するようにして、鉤溝部５の挿入部分５ａの開口を露出させる。そして、挿入部分５ａの開口から阻止部材６を挿入する。
【００３０】  図６（ｅ）に示すように、阻止部材６を鉤溝部５の挿入部分５ａから係止部分５ｂまで嵌挿する。この状態で、阻止部材６は板ばね７によって鉤溝部５の挿入部分５ａに弾接している。
【００３１】  そして、内駒体４を、外駒体１との連結部分である連結部３を中心として回動させて、図６（ｆ）に示すように、外駒体１と外表面が同一面になるようにする。この状態で連結部３は回動可能であるが、鉤溝部５から外部へ抜け出すようなことはない。
【００３２】  このような外駒体１と内駒体４との連結により、図１に示す長尺のバンド１０が構成される。外駒体１と内駒体４とからなる複数の駒体を連結してバンド１０として完成させた後には、各連結部３を中心として外駒体１と内駒体４とが折り曲がるようになるため、バンド１０は装着者の腕などに沿うように全体が折り曲がるようになる。
【００３３】  外駒体１と内駒体４の形状，材質などは、特に限定されない。また、各部の形状なども本実施形態のものに限定されず、例えば阻止部材６は、平板状でなくて、軸，ピン形状であってもよい。また、阻止部材６自体を弾性材により形成するようにしてもよい。
【００３４】  図７は本発明に係るバンドの連結機構の実施形態２を採用したバンド全体を示す斜視図、図８は実施形態２における駒体の構成図、図９は実施形態２における駒体を底面側から見た斜視図、図１０は実施形態２における阻止部材の構成図であって、図８，図１０において、上左側の図画が平面図、上右側の図画が側面図、下図が正面図である。
【００３５】  図８，図９に示すように、実施形態２では実施形態１における外駒体と内駒体とを一体化に形成して駒体１１としたものである。
【００３６】  駒体１１は、対向する一対の外駒部１２およびバンド連結方向Ａに直交する方向に延在して両外駒部１２を連結する１本の連結部１３を有する外駒体部１４と、バンド連結方向Ａに直交する方向の側部に沿って、後述するように隣接する外駒体部１４の連結部１３が挿入される挿入部分１５ａおよび該挿入部分１５ａに対して異なる方向に延在する係止部分１５ｂからなる鉤溝部１５が形成されている内駒体部１６とからなっている。
【００３７】  本例では鉤溝部１５は、挿入部分１５ａと係合部分１５ｂとにより断面略Ｌ形状にしている。
【００３８】  図１０において、１７は阻止部材であって、実施形態１の阻止部材６と同様な構成になっており、後述するように鉤溝部１５へ挿入される薄板材からなり、一部が外側に突出する弾性体である板ばね１８が設けられている。
【００３９】  図１１に示す実施形態２における連結状態を示す断面図のように、実施形態２では、駒体１１における外駒体部１２の連結部１３を、隣接する駒体１１における内駒体部１６の鉤溝部１５の挿入部分１５ａから係止部分１５ｂまで挿入し、連結部１３を係止部分１５ｂにて回動可能な状態にしている。
【００４０】  前記状態にて、鉤溝部１５の係止部分１５ｂには、連結部１３の移動を阻止する阻止部材１７が鉤溝部１５の挿入部分１５ａから嵌挿されているため、連結部１３は外れず固定位置にある。また阻止部材１７は、鉤溝部１５の挿入部分１５ａに板ばね１８により弾接して、抜け出さないようになっている。
【００４１】  鉤溝部１５の挿入部分１５ａの開口は、連結時に隣り合う駒体１１の内駒体部１６における対向する内側にあるように形成してあるため、通常使用時にはバンド外部には露出しない。
【００４２】  前記駒体１１を順次連結して図７に示すようなバンドを製造する。当該バンドの組立・組付について図１２に基づいて説明する。
【００４３】  図１２（ａ）〜（ｆ）は実施形態１におけるバンドの連結工程を説明するための駒体の側面図である。まず、図１２（ａ）に示す状態から、駒体１１の外駒体部１２の連結部１３を、図１２（ｂ）に示すように、隣接する駒体１１の内駒体１６における鉤溝部１５の挿入部分１５ａから係止部分１５ｂまで挿入し、さらに図１２（ｃ）に示すように、連結部１３を鉤溝部１５の係合部分１５ｂ方向に移動させる。
【００４４】  次に、図１２（ｃ）に示す状態から図１２（ｄ）に示すように、内駒体部１６を、外駒体部１２との連結部分である連結部１３を中心として回動させ、内側面を外部に露呈するようにして、鉤溝部１５の挿入部分１５ａの開口を露出させる。そして、挿入部分１５ａの開口から阻止部材１７を挿入する。
【００４５】  図１２（ｅ）に示すように、阻止部材１７を鉤溝部１５の挿入部分１５ａから係止部分１５ｂまで嵌挿する。この状態で、阻止部材１７は板ばね１８によって鉤溝部１５の挿入部分１５ａに弾接している。
【００４６】  そして、内駒体部１６を、外駒体部１２との連結部分である連結部１３を中心として回動させて、図１２（ｆ）に示すように、外駒体部１２と外表面が同一面になるようにする。この状態で連結部１３は回動可能であるが、鉤溝部１５から外部へ抜け出すようなことはない。
【００４７】  このような外駒体部１２と内駒体部１６との連結により、図７に示す長尺のバンド２０が構成される。複数の駒体１１を連結してバンド２０として完成させた後には、各連結部１３を中心として駒体１１どうしが折り曲がるようになるため、バンド２０は装着者の腕などに沿うように全体が折り曲がるようになる。
【００４８】  外駒体部１２と内駒体部１６とからなる駒体１１の形状，材質などは、特に限定されない。また、各部の形状なども本実施形態のものに限定されず、例えば阻止部材１７は、平板状でなくて、軸，ピン形状であってもよい。また、阻止部材１７自体を弾性材により形成するようにしてもよい。
【産業上の利用可能性】
【００４９】  本発明は、外駒部分と内駒部分とからなる駒体を連結してなり、駒構成部材の端部が露出しない構造のバンドに適用され、駒材の材料としては一般的なスチール材のみならず、セラミック，高硬度の金属などの細かな加工がし難い材質からなる駒体を用いるバンドに実施して有効である。
【符号の説明】
【００５０】１  外駒体
２  外駒部
３  連結部
４  内駒体
５  鉤溝部
５ａ  挿入部分
５ｂ  係合部分
６  阻止部材
７  板ばね
１０  バンド
１１  駒体
１２  外駒部
１３  連結部
１４  外駒体部
１５  鉤溝部
１５ａ  挿入部分
１５ｂ  係止部分
１６  内駒体部
１７  阻止部材
１８  板ばね
２０  バンド
【図１】
2010269111.tif 000003
【図２】
2010269111.tif 000004
【図３】
2010269111.tif 000005
【図４】
2010269111.tif 000006
【図５】
2010269111.tif 000007
【図６】
2010269111.tif 000008
【図７】
2010269111.tif 000009
【図８】
2010269111.tif 000010
【図９】
2010269111.tif 000011
【図１０】
2010269111.tif 000012
【図１１】
2010269111.tif 000013
【図１２】
2010269111.tif 000014